(57)【要約】【課題】落下時の衝撃等で化粧皿や化粧料が破損したり、損傷したりすることがなく、しかも、部品点数が少なく、接着剤層を必要としない化粧料容器を提供する。【解決手段】上面に化粧皿収容凹部１ａが形成された容器本体１と、この容器本体１の上面を蓋する蓋体２と、上記化粧皿収容凹部１ａに着脱自在に収容される化粧皿３とを備えている。そして、この化粧皿３の上端縁外周面部に鍔部２２が突設され、上記化粧皿３の底壁と化粧皿収容凹部１ａの底壁とが離間し空気層を設けた状態で、上記化粧皿３の鍔部２２が容器本体１に着脱自在に固定されている。【選択図】図４
2006061189.tif 000002
【特許請求の範囲】
【請求項１】
上面に化粧皿収容凹部が形成された容器本体と、この容器本体の上面を蓋する蓋体と、上記化粧皿収容凹部に着脱自在に収容される化粧皿とを備え、この化粧皿の上端縁外周面部に係合用鍔部が突設され、上記化粧皿の底壁と化粧皿収容凹部の底壁とが離間し空気層を設けた状態で、上記化粧皿の係合用鍔部が容器本体に着脱自在に固定されていることを特徴とする化粧料容器。
【請求項２】
上記化粧皿収容凹部の底壁に窓部が形成されている請求項１記載の化粧料容器。
【請求項３】
上記化粧皿の周側壁と化粧皿収容凹部の周側壁とが離間している請求項１または２記載の化粧料容器。
【請求項４】
上記蓋体に吊り下げ用孔部が穿設されている請求項１〜３のいずれか一項に記載の化粧料容器。
【発明の詳細な説明】
【技術分野】
【０００１】
本発明は、化粧料容器に関するものである。
【背景技術】
【０００２】
従来から、ファンデーション等の化粧料を収容するレフィル容器等の各種の化粧料容器として、図１３に示すようなレフィル容器が出回っている。このレフィル容器は、上面開放状の容器本体３１と、この容器本体３１の上面を蓋する蓋体３２と、化粧料３３ａが充填された化粧皿３３とを備えており、この化粧皿３３の底面に設けた接着剤層３４を上記容器本体３１の底面に仮固定した状態で、上記容器本体３１に化粧皿３３を収容している（例えば、特許文献１参照）。図において、３５は上記容器本体３１の底壁に穿設した棒挿通用の貫通孔である。
【特許文献１】実開平６−１３７０８号公報
【発明の開示】
【発明が解決しようとする課題】
【０００３】
しかしながら、上記のレフィル容器では、容器本体３１に化粧皿３３を内嵌状に収容して化粧皿３３の底面の接着剤層３４を容器本体３１の底面に仮固定しているだけであるため、上記のレフィル容器を床上等に落下等させて容器本体３１の底壁を床上等に衝突させてしまうと、この衝突時の衝撃等が容器本体３１の底壁に作用するとともに、接着剤層３４を介して化粧皿３３や化粧料３３ａにも直接に作用し、化粧皿３３や化粧料３３ａが破損したり、損傷したりするという問題がある。しかも、このような破損，損傷を防止するために、展示時等には、上記のレフィル容器を緩衝材とともに箱等の内部に収容して緩衝材，箱等で保護しなければならず、その分部品点数が増加し、在庫管理等が煩雑になるという問題もある。しかも、容器本体３１と化粧皿３３とを接着剤層３４で接着，固定しているため、化粧皿３３を取り出した際に接着剤がべたついて取り扱いにくく、手や周りのものを汚してしまうという問題もある。
【０００４】
本発明は、このような事情に鑑みなされたもので、落下時の衝撃等で化粧皿や化粧料が破損したり、損傷したりすることがなく、しかも、部品点数が少なく、接着剤層を必要としない化粧料容器の提供をその目的とする。
【課題を解決するための手段】
【０００５】
上記の目的を達成するため、本発明の化粧料容器は、上面に化粧皿収容凹部が形成された容器本体と、この容器本体の上面を蓋する蓋体と、上記化粧皿収容凹部に着脱自在に収容される化粧皿とを備え、この化粧皿の上端縁外周面部に係合用鍔部が突設され、上記化粧皿の底壁と化粧皿収容凹部の底壁とが離間し空気層を設けた状態で、上記化粧皿の係合用鍔部が容器本体に着脱自在に固定されているという構成をとる。
【発明の効果】
【０００６】
すなわち、本発明の化粧料容器は、容器本体の上面に形成された化粧皿収容凹部の底壁と、この化粧皿収容凹部に収容される化粧皿の底壁とが離間し空気層を設けた状態で、上記化粧皿の上端縁外周面部に突設された係合用鍔部が上記容器本体に着脱自在に固定されている。したがって、本発明の化粧料容器では、これを床上等に落下等させて容器本体の底壁を床上等に衝突させてしまっても、この衝突時の衝撃等が容器本体の底壁に作用したのち、緩衝作用を有する空気層を介して化粧皿やこの化粧皿に収容される化粧料に作用するため、上記空気層の緩衝作用で化粧皿および化粧料を保護することができ、化粧皿や化粧料が破損したり、損傷したりすることがない。しかも、このような破損，損傷がないため、展示時等には、緩衝材等が必要でなく、その分部品点数が減少し、在庫管理等が簡素化する。しかも、上記化粧皿の係合用鍔部を利用して上記化粧皿を容器本体に着脱自在に固定しているため、接着剤層を設ける必要がなく、手や周りのものを汚したりすることがなく、取り扱いが容易である。
【０００７】
また、上記化粧皿収容凹部の底壁に窓部が形成されていると、この窓部から化粧皿をスムーズに押し出すことができ、さらに化粧皿を透明樹脂で形成した場合には、窓部から化粧料の色を識別することができる。
【０００８】
また、上記化粧皿の周側壁と化粧皿収容凹部の周側壁とが離間していると、本発明の化粧料容器を床上等に落下等させて容器本体の周側壁を床上等に衝突させてしまっても、上記したように、上記空気層の緩衝作用で化粧皿および化粧料を保護することができ、化粧皿や化粧料が破損したり、損傷したりすることがない。
【０００９】
また、上記蓋体に吊り下げ用孔部が穿設されていると、上記蓋体を利用し、本発明の化粧料容器を吊り下げて展示，販売することができる。
【発明を実施するための最良の形態】
【００１０】
つぎに、本発明の実施の形態を図面にもとづいて詳しく説明する。
【００１１】
図１〜図６は本発明の化粧料容器の一実施の形態を示している。この実施の形態では、化粧料容器としてレフィル容器を用いている。これらの図において、１は上面に化粧皿収容凹部１ａが形成された合成樹脂製の皿形状の容器本体で、２は上記容器本体１の上面を蓋する合成樹脂製の平板形状の蓋体であり、これら容器本体１と蓋体２とは型成形により一体成形されている。３は上記容器本体１の化粧皿収容凹部１ａに収容される透明合成樹脂製の皿形状の化粧皿であり、内部にファンデーション等の化粧料３ａが充填されている。
【００１２】
上記容器本体１には、図７〜図９に示すように、その略四角形環状の周側壁１１（この周側壁１１の内部が化粧皿収容凹部１ａに形成されている）の前壁の外周面に、後述する蓋体２の係合爪２ａに着脱自在に係合する係合凸部１２が形成されており、上記周側壁１１の前壁の内周面（上記化粧皿収容凹部１ａの周側面の前側部分）に、後述する化粧皿３の前側係合突片２２ａに着脱自在に係合する前側凸部１３が突設されている。また、上記周側壁１１の後壁の内周面（上記化粧皿収容凹部１ａの周側面の後側部分）の、上記前側凸部１３に対応する部分に、後述する化粧皿３の後側係合突片２２ｂに着脱自在に係合する後側凸部１４が突設されている。また、上記化粧皿収容凹部１ａには、その底壁に略四角形状の窓部１５が穿設されており、この窓部１５を通して透明合成樹脂製の化粧皿３の底側から、この化粧皿３に充填された化粧料３ａの色等を見ることができるようにしている。また、上記容器本体１には、その周側壁１１の後壁の上端部外周面からヒンジ連結部１６の一側部が一体的に突出しており、このヒンジ連結部１６の他側部が上記蓋体２の後端部が一体的に連結している。
【００１３】
上記蓋体２には、その前部下面から、上記容器本体１の係合凸部１２に着脱自在に係合する係合爪２ａが垂下している。また、上記蓋体２の前側縁部から前側に向かって平板形状の吊り下げ部１７が延設されており、この吊り下げ部１７に吊り下げ孔部１７ａが穿設されている。
【００１４】
上記化粧皿３は、図１０および図１１に示すように、その周側壁２１の上端開口部の外周面からその全周囲にわたって略四角形環状の鍔部２２がやや上向きテーパー状に突設されており、その前側部分（上記容器本体１の前側凸部１３に対応する部分）の下面から、上記前側凸部１３に着脱自在に係合する前側係合突片２２ａが垂下し、その後側部分（上記容器本体１の後側凸部１４に対応する部分）の下面から、上記後側凸部１４に着脱自在に係合する後側係合突片２２ｂが垂下している。また、上記化粧皿３の高さは上記容器本体１の化粧皿収容凹部１ａの深さよりも短く形成されており（図４および図５参照）、上記化粧皿３の前後幅は上記化粧皿収容凹部１ａの前後幅よりも短く形成されており（図４参照）、上記化粧皿３の左右幅は上記化粧皿収容凹部１ａの左右幅と略同じに形成されている（図５参照）。
【００１５】
上記の構成において、化粧料３ａが充填された化粧皿３を容器本体１に収容する場合には、開蓋した容器本体１上に化粧皿３を位置決めし（図１２参照）、その状態で化粧皿３を容器本体１の化粧皿収容凹部１ａ内に押し込むことを行う。これにより、図４および図５に示すように、上記容器本体１の化粧皿収容凹部１ａの前後一対の凸部１３，１４に化粧皿３の前後一対の係合突片２２ａ、２２ｂを着脱自在に係合させ、化粧皿３を容器本体１に収容，固定することができる。このとき、上記化粧皿収容凹部１ａの底壁と化粧皿３の底壁との間、および上記化粧皿収容凹部１ａの前後壁と化粧皿３の前後壁との間に隙間（すなわち、空気層）が形成されている（図４および図５参照）。このようにして、化粧皿３を容器本体１に収容したのち、上記蓋体２の係合爪２ａと上記容器本体１の係合凸部１２とを着脱自在に係合させて閉蓋したのち、上記蓋体２の吊り下げ部１７の吊り下げ孔部１７ａを利用し、壁面等に展示する。
【００１６】
上記のように、この実施の形態では、容器本体１の化粧皿収容凹部１ａの底壁と化粧皿３の底壁との間、および容器本体１の化粧皿収容凹部１ａの前後壁と化粧皿３の前後壁との間に空気層が形成されており、この空気層が緩衝作用を有するため、この緩衝作用で化粧皿３や化粧料３ａを保護することができる。したがって、化粧料容器の落下時に衝撃等が容器本体１の化粧皿収容凹部１ａの底壁に作用しても、化粧皿３や化粧料３ａが破損したり、損傷したりすることがない。しかも、このように破損，損傷がないため、展示時等には、化粧皿３や化粧料３ａを保護するための緩衝材等が必要でなく、その分部品点数が減少し、在庫管理等が簡素化する。しかも、上記容器本体１の化粧皿収容凹部１ａの前後一対の凸部１３，１４に化粧皿３の前後一対の係合突片２２ａ，２２ｂが着脱自在に係合しているため、化粧皿３の底面に接着剤層を設ける必要がなく、手や周りのものを汚したりすることがなく、取り扱いが容易である。しかも、上記化粧皿収容凹部１ａの底壁に穿設した窓部１５から化粧皿３をスムーズに押し出すことができるうえ、化粧皿３を透明合成樹脂で形成しているため、上記窓部１５から化粧料３ａの色を識別することができる。しかも、上記蓋体２に吊り下げ孔部１７ａを設けているため、壁面等に吊り下げて展示，販売することができる。
【００１７】
なお、上記実施の形態では、蓋体２に吊り下げ孔部１７ａを設けているが、これに限定するものではなく、設けなくてもよい。また、容器本体１に窓部１５を設けなくてもよいし、容器本体１の化粧皿収容凹部１ａの前後壁と化粧皿３の前後壁との間に空気層を形成しなくてもよい。
【図面の簡単な説明】
【００１８】
【図１】本発明の化粧料容器の一実施の形態を示す斜視図である。
【図２】上記化粧料容器を下から見た状態を示す斜視図である。
【図３】上記化粧料容器の平面図である。
【図４】上記化粧料容器の断面図である。
【図５】上記化粧料容器の要部の断面図である。
【図６】上記化粧料容器の要部の平面図である。
【図７】容器本体の断面図である。
【図８】上記容器本体の要部の断面図である。
【図９】上記容器本体の要部の平面図である。
【図１０】上記化粧皿の断面図である。
【図１１】上記化粧皿の要部の断面図である。
【図１２】上記化粧皿を容器本体に収容する状態を示す斜視図である。
【図１３】従来例を示す断面図である。
【符号の説明】
【００１９】
１  容器本体
１ａ  化粧皿収容凹部
２  蓋体
３  化粧皿
２２  鍔部
【図１】
2006061189.tif 000003
【図２】
2006061189.tif 000004
【図３】
2006061189.tif 000005
【図４】
2006061189.tif 000006
【図５】
2006061189.tif 000007
【図６】
2006061189.tif 000008
【図７】
2006061189.tif 000009
【図８】
2006061189.tif 000010
【図９】
2006061189.tif 000011
【図１０】
2006061189.tif 000012
【図１１】
2006061189.tif 000013
【図１２】
2006061189.tif 000014
【図１３】
2006061189.tif 000015